(57)【要約】【課題】Ａ３ノビなどの特殊サイズの記録材にも信頼性と品質を損なわずに対応できると共に、冷間状態であっても起動トルクを低減できる定着装置を提供する【解決手段】本発明の定着装置は、可撓性を有する無端状のベルトと、ベルトの外側に設けられ、ベルトに対向する加圧部材と、ベルトの内部に設けられた輻射型熱源と、ベルトの内側に設けられ、ベルトと前記加圧部材との間に定着ニップを形成するニップ形成部材と、ニップ形成部材のそれぞれの端部に設けられ、ベルトの長手方向端部をそれぞれ加熱する複数の接触伝熱型熱源と、ニップ形成部材及び複数の接触伝熱型熱源の、ベルトに対向するそれぞれの面を覆い、その長手方向に熱を移動する熱移動補助部材とを有する。  ベルトの内側には潤滑剤が塗布されており、複数の接触伝熱型熱源の発熱、ベルトの回転、輻射型熱源の発熱の順に動作を開始する。【選択図】図１１
2017120392.tif 000002
【特許請求の範囲】
【請求項１】
可撓性を有する無端状のベルトと、
前記ベルトの外側に設けられ、前記ベルトに対向する加圧部材と、
前記ベルトの内部に設けられた輻射型熱源と、
前記ベルトの内側に設けられ、前記ベルトと前記加圧部材との間に定着ニップを形成するニップ形成部材と、
前記ニップ形成部材のそれぞれの端部に設けられ、前記ベルトの長手方向端部をそれぞれ加熱する複数の接触伝熱型熱源と、
前記ニップ形成部材及び前記複数の接触伝熱型熱源の、前記ベルトに対向するそれぞれの面を覆い、前記ベルトの長手方向に熱を移動する熱移動補助部材と
を有し、
前記ベルトの内側には潤滑剤が塗布されており、前記複数の接触伝熱型熱源の発熱、前記ベルトの回転、前記輻射型熱源の発熱の順に動作する定着装置。
【請求項２】
前記ベルトの温度を検知する温度検知部を備え、
前記温度検知部が所定の第１の温度を検知した時点で、前記ベルトを回転することを特徴とする請求項１に記載の定着装置。
【請求項３】
前記温度検知部が、前記第１の温度より高く、かつ、前記第１の温度より高く、起動トルクが十分に小さくなる第２の温度以下の温度を検知した場合、前記接触伝熱型熱源を発熱すると共に前記ベルトを回転することを特徴とする請求項２に記載の定着装置。
【請求項４】
前記温度検知部が、前記第２の温度よりも高い温度を検知した場合、前記ベルトを回転し、前記輻射型熱源を発熱することを特徴とする請求項３に記載の定着装置。
【請求項５】
前記複数の接触伝熱型熱源により加熱された前記ベルトの温度を検知する複数の温度検知部を備え、
前記複数の温度検知部がそれぞれ所定の第１の温度を検知した時点で、前記ベルトを回転することを特徴とする請求項１に記載の定着装置。
【請求項６】
前記複数の温度検知部がそれぞれ前記第１の温度より高く、かつ、前記第１の温度より高く、起動トルクが十分に小さくなる第２の温度以下の温度を検知した場合、前記複数の接触伝熱型熱源を発熱すると共に前記ベルトを回転することを特徴とする請求項５に記載の定着装置。
【請求項７】
前記複数の温度検知部が、前記第２の温度よりも高い温度をそれぞれ検知した場合、前記ベルトを回転し、前記輻射型熱源を発熱することを特徴とする請求項６に記載の定着装置。
【請求項８】
前記ベルトは、複数の回転線速を有し、少なくとも前記輻射型熱源の発熱までは低い回転線速で動作することを特徴とする請求項１乃至７のいずれか一項に記載の定着装置。
【請求項９】
請求項１乃至８のいずれか一項に記載の定着装置を備える画像形成装置。
【発明の詳細な説明】
【技術分野】
【０００１】
本発明は、定着装置及び定着装置を備える画像形成装置に関する。
【背景技術】
【０００２】
複写機、プリンタ、ファクシミリ、又はそれらのうちの少なくとも２つの機能を有する複合機などの画像形成装置に対し、近年、省エネルギー化、高速化についての市場要求が強くなってきている。
【０００３】
画像形成装置のなかでも定着装置は消費電力量が多く、省エネルギー化の余地が大きいため、様々な提案がなされており、例えば、低熱容量でフィルム状に薄い無端ベルトを、支持体を兼ねる金属熱伝導体を介することなく、直接加熱する構成とし、高生産の画像形成装置に搭載されても、良好な定着性を得ることができる定着装置が知られている（例えば特許文献１参照）。この定着装置では、無端状の定着ベルトの外周側に配置された加圧ローラと定着ベルトの内部（ループ内）に固定配置されたニップ形成部材とが定着ベルトを介して圧接することによって定着ニップを形成している。
【０００４】
一方、画像形成装置では、様々なサイズの記録材が用いられる。様々なサイズの記録材に対応するため、定着装置の定着熱源（ヒータ）の長さを記録材の最大サイズに合わせると、小サイズの記録材を定着する場合に非通紙部である定着ベルト／ローラ端部の温度が上昇する。連続通紙時には端部が過昇温となるため、例えば記録材の搬送速度を遅くして生産性を落とす必要がある。
【０００５】
この問題に対処すべく、定着ベルト／ローラの内部に、中央部の配光分布が密なハロゲンヒータと、端部付近の配光分布が密なハロゲンヒータとを備える定着装置が知られている。この定着装置は、小サイズの記録材の場合、中央部の配光分布が密なハロゲンヒータのみを点灯し、小サイズよりも大きい記録材の場合、両方のハロゲンヒータを点灯して定着を行う。
【０００６】
しかしながら、インクジェット記録方式と異なり、トナーを用いた画像形成においては非印字領域を設けて印刷が実行されるので、使用頻度はごく少ないものの規格上の用紙サイズいっぱいで画像形成を行う場合には、用紙規格サイズよりも一回り大きな記録材が用いられ（例えばＡ３サイズよりも一回り大きなＡ３ノビサイズ）、あるいは１３インチサイズのものが使用される場合もある。そこで、これら特殊サイズの記録材に対応するために、更なる改善が望まれた。
【０００７】
そのような問題に対して、特許文献２には、無端状のベルトの内部に、ベルトの幅方向（用紙幅方向）で配光分布が異なる複数のハロゲンヒータを設けると共に、ベルト部材の長手方向両端部であって、ベルトの回転方向におけるニップの上流側の位置に、端部ヒータをベルトの内面又は外面に接して設けることが提案された。
【０００８】
しかしながら、特許文献２に開示された定着装置において、端部ヒータから定着ベルトへの伝熱効率を高めるため、定着ベルトに対する端部ヒータの接触圧を大きくすると、端部ヒータと定着ベルトとの間の摩擦力が大きくなる。これは定着ベルトの走行不良につながるおそれがあり、信頼性の低下となる。
【０００９】
一方、定着ベルトの走行不良を避けるため、定着ベルトに対する端部ヒータの接触圧を小さくすると、定着ベルトへの伝熱不足となる。これは端部ヒータの過昇温につながるおそれがあり、信頼性の低下となる。
【００１０】
また、定着ニップ部で記録材に定着されなかった定着ベルト上の残留トナーが、端部ヒータの位置で再溶融され、これが固着トナーとして残るといった品質低下の問題もある。
【００１１】
さらに、近年の定着装置は、ファーストプリントタイムの更なる短縮が求められており、次のような問題が顕在化している。
【００１２】
ニップ形成部材はベルト部材の内面と摺動するため、その摺動面にフッ素グリースやシリコーンオイルなどの潤滑剤を塗布し、摺動トルクを低減することが行われる。特にフッ素グリースは、ニップ形成部材での保持性がよいため、定着装置の経時的なトルク上昇に対し有利である。
【００１３】
しかし、フッ素グリースは、温度に対して粘度が変化する性質を有する。ファーストプリントタイムの短縮のためには、定着装置の起動を速くする必要があるが、特に冷間時は粘度が大きくなり、定着装置の起動トルクが大きくなる。したがって、高トルク出力の駆動モータが必要となり、コストアップにつながる。
【００１４】
また、このような高トルクで定着ベルトを回転すると、定着ベルトだけでなく、定着装置を駆動するギアなどにも大きな負荷がかかる。そのため、定着ベルトや定着装置、そして画像形成装置の機械寿命が短くなるおそれもある。
【発明の概要】
【発明が解決しようとする課題】
【００１５】
本発明は、Ａ３ノビなどの特殊サイズの記録材にも信頼性と品質を損なわずに対応できると共に、冷間状態であっても起動トルクを低減できる定着装置を提供することを目的とする。
【課題を解決するための手段】
【００１６】
前記課題は、可撓性を有する無端状のベルトと、前記ベルトの外側に設けられ、前記ベルトに対向する加圧部材と、前記ベルトの内部に設けられた輻射型熱源と、前記ベルトの内側に設けられ、前記ベルトと前記加圧部材との間に定着ニップを形成するニップ形成部材と、前記ニップ形成部材のそれぞれの端部に設けられ、前記ベルトの長手方向端部をそれぞれ加熱する複数の接触伝熱型熱源と、前記ニップ形成部材及び前記複数の接触伝熱型熱源の、前記ベルトに対向するそれぞれの面を覆い、前記ベルトの長手方向に熱を移動する熱移動補助部材とを有し、前記ベルトの内側には潤滑剤が塗布されており、前記複数の接触伝熱型熱源の発熱、前記ベルトの回転、前記輻射型熱源の発熱の順に動作する定着装置によって、解決される。
【発明の効果】
【００１７】
本発明の定着装置は、ニップ形成部材のそれぞれの端部に、ベルトの長手方向端部を加熱する複数の接触伝熱型熱源を備えるので、特殊サイズの記録材にも信頼性と品質を損なわずに対応できる。また、接触伝熱型熱源の発熱、ベルトの回転、輻射型熱源の発熱の順に動作が開始されるため、冷間状態であっても起動トルクを低減できる。
【図面の簡単な説明】
【００１８】
【図１】本発明の一実施形態に係る画像形成装置を示す模式図である。
【図２】定着装置の一実施形態を示す概略的な断面構成図である。
【図３】ニップ形成ユニットの基本構成を示す斜視図である。
【図４】ニップ形成ユニット及びハロゲンヒータの構成を示す斜視図である。
【図５】ハロゲンヒータ及び端部ヒータの発熱部の配置を示す模式図である。
【図６】ハロゲンヒータ及び端部ヒータの各発熱部の位置関係を示す模式図である。
【図７】第２ハロゲンヒータの加熱出力を示すグラフ（第１パターン）である。
【図８】中央寄りに発熱部を有するハロゲンヒータと端部寄りに発熱部を有するハロゲンヒータの各加熱出力の状態を示すグラフである。
【図９】第１、第２ハロゲンヒータの加熱出力を示すグラフ（第２パターン）である。
【図１０】第１、第２ハロゲンヒータの加熱出力の別例を示すグラフ（第３パターン）である。
【図１１】端部ヒータのために設けられる温度検知部の位置を説明する図である。
【図１２】本発明の一実施形態に係る定着装置の動作を示すフローチャートである。
【図１３】定着装置における定着ニップ部付近の温度とユニットトルクの関係を示すグラフである。
【発明を実施するための形態】
【００１９】
以下、添付の図面に基づき、本発明の実施の形態について説明する。
図１は、本発明の一実施形態に係る画像形成装置を示す模式図である。この画像形成装置１は、カラーレーザープリンタであり、そのプリンタ本体の中央には、中間転写ベルト３０の展張方向に沿って４つの作像部４Ｙ、４Ｃ、４Ｍ、４Ｋが並置して設けられている。各作像部４Ｙ、４Ｃ、４Ｍ、４Ｋは、カラー画像の色分解成分に対応するイエロー（Ｙ）、シアン（Ｃ）、マゼンタ（Ｍ）、ブラック（Ｋ）の異なる色の現像剤を収容する以外は、同じ構成である。
【００２０】
具体的に、それぞれ画像ステーションを構成する各作像部４Ｙ、４Ｃ、４Ｍ、４Ｋは、潜像担持体としてのドラム状の感光体５と、感光体５の表面を帯電させる帯電装置６と、感光体５の表面にトナーを供給する現像装置７と、感光体５の表面をクリーニングするクリーニング装置８などを備えている。なお、図１では、ブラックの作像部４Ｋが備える感光体５、帯電装置６、現像装置７、クリーニング装置８のみに色用符号を付し、その他の作像部４Ｙ、４Ｃ、４Ｍにおいては符号を省略している。
【００２１】
作像部４Ｙ、４Ｃ、４Ｍ、４Ｋの下方には、感光体５の表面を露光する露光装置９が配設されている。露光装置９は、光源、ポリゴンミラー、ｆ−θレンズ、反射ミラーなどを有し、画像データに基づいて各感光体５の表面へレーザー光を照射するようになっている。
【００２２】
作像部４Ｙ、４Ｃ、４Ｍ、４Ｋの上方には、転写装置３が配設されている。転写装置３は、転写体としての中間転写ベルト３０と、一次転写手段としての４つの一次転写ローラ３１と、二次転写手段としての二次転写ローラ３６とを備える。更に、転写装置３は二次転写バックアップローラ３２、クリーニングバックアップローラ３３、テンションローラ３４、及びベルトクリーニング装置３５を備えている。
【００２３】
中間転写ベルト３０は、無端状のベルトであり、二次転写バックアップローラ３２、クリーニングバックアップローラ３３及びテンションローラ３４によって張架されている。ここでは、二次転写バックアップローラ３２が回転駆動することによって、中間転写ベルト３０は図の矢印で示す方向に周回走行（回転）するようになっている。
【００２４】
４つの一次転写ローラ３１は、それぞれ、各感光体５との間で中間転写ベルト３０を挟み込んで一次転写ニップを形成している。また、各一次転写ローラ３１には、プリンタ本体の電源が接続されており、所定の直流電圧（ＤＣ）及び／又は交流電圧（ＡＣ）が各一次転写ローラ３１に印加されるようになっている。
【００２５】
二次転写ローラ３６は、二次転写バックアップローラ３２との間で中間転写ベルト３０を挟み込んで二次転写ニップを形成している。また、一次転写ローラ３１と同様に、二次転写ローラ３６にもプリンタ本体の電源が接続されており、所定の直流電圧（ＤＣ）及び／又は交流電圧（ＡＣ）が二次転写ローラ３６に印加されるようになっている。
【００２６】
ベルトクリーニング装置３５は、中間転写ベルト３０に当接するように配設されたクリーニングブラシとクリーニングブレードを有する。
プリンタ本体の上部には、ボトル収容部２が設けられており、ボトル収容部２には補給用のトナーを収容した４つのトナーボトル２Ｙ、２Ｃ、２Ｍ、２Ｋが着脱可能に装着されている。各トナーボトル２Ｙ、２Ｃ、２Ｍ、２Ｋと各現像装置７との間には、周知のように補給路が設けられ、この補給路を介して各トナーボトル２Ｙ、２Ｃ、２Ｍ、２Ｋから各現像装置７へトナーが補給されるようになっている。
【００２７】
一方、プリンタ本体の下部には、記録材としての用紙Ｐを収容した給紙トレイ１０や、給紙トレイ１０から用紙Ｐを搬出する給紙ローラ１１などが設けられている。ここで、記録材には、普通紙以外に、厚紙、はがき、封筒、薄紙、塗工紙（コート紙やアート紙など）、トレーシングペーパ、ＯＨＰシートなどが含まれる。また、周知のように、手差し給紙機構が設けられていてもよい。
【００２８】
プリンタ本体内には、用紙Ｐを給紙トレイ１０から二次転写ニップを通過させて装置外へ排出するための搬送路Ｒが配設されている。搬送路Ｒにおいて、二次転写ローラ３６の位置よりも用紙搬送方向上流側には、二次転写ニップへ用紙Ｐを搬送する搬送手段としての一対のレジストローラ１２が配設されている。
【００２９】
また、二次転写ローラ３６の位置よりも用紙搬送方向下流側には、用紙Ｐに転写された未定着画像を定着するための定着装置２０が配設されている。更に、定着装置２０よりも搬送路Ｒの用紙搬送方向下流側には、用紙を装置外へ排出するための一対の排紙ローラ１３が設けられている。また、プリンタ本体の上面部には、装置外に排出された用紙をストックするための排紙トレイ１４が設けられている。
【００３０】
本実施形態に係るプリンタの基本的動作は次のようである。作像動作が開始されると、各作像部４Ｙ、４Ｃ、４Ｍ、４Ｋにおける各感光体５が図の時計回りに回転駆動され、各感光体５の表面が帯電装置６によって所定の極性に一様に帯電される。帯電された各感光体５の表面には、露光装置９からレーザー光がそれぞれ照射されて、各感光体５の表面に静電潜像が形成される。このとき、各感光体５に露光する画像情報は所望のフルカラー画像をイエロー、シアン、マゼンタ及びブラックの色情報に分解した単色の画像情報である。このように各感光体５上に形成された静電潜像に、各現像装置７によってトナーが供給されることにより、静電潜像はトナー画像として顕像化（可視像化）される。
【００３１】
また、作像動作が開始されると、二次転写バックアップローラ３２が図の反時計回りに回転駆動し、中間転写ベルト３０を図の矢印で示す方向に周回走行させる。そして、各一次転写ローラ３１に、トナーの帯電極性と逆極性の定電圧又は定電流制御された電圧が印加される。これにより、各一次転写ローラ３１と各感光体５との間の一次転写ニップにおいて転写電界が形成される。
【００３２】
その後、各感光体５の回転に伴い、感光体５上の各色のトナー画像が一次転写ニップに達したときに、一次転写ニップにおいて形成された転写電界によって、各感光体５上のトナー画像が中間転写ベルト３０上に順次重ね合わせて転写される。かくして中間転写ベルト３０の表面にフルカラーのトナー画像が担持される。また、中間転写ベルト３０に転写しきれなかった各感光体５上のトナーは、クリーニング装置８によって除去される。各感光体５の表面は、その後、除電され、表面電位が初期化される。
【００３３】
画像形成装置の下部では、給紙ローラ１１が回転駆動を開始し、給紙トレイ１０から用紙Ｐが搬送路Ｒに送り出される。搬送路Ｒに送り出された用紙Ｐは、レジストローラ１２によってタイミングを計られ、二次転写ローラ３６と二次転写バックアップローラ３２との間の二次転写ニップに送られる。このとき二次転写ローラ３６には、中間転写ベルト３０上のトナー画像のトナー帯電極性と逆極性の転写電圧が印加されており、これにより、二次転写ニップに転写電界が形成されている。
【００３４】
その後、中間転写ベルト３０の周回走行に伴って、中間転写ベルト３０上のトナー画像が二次転写ニップに達したときに、そのニップにおいて形成された転写電界によって、中間転写ベルト３０上のトナー画像が用紙Ｐ上に一括して転写される。また、このとき用紙Ｐに転写しきれなかった中間転写ベルト３０上の残留トナーは、ベルトクリーニング装置３５によって除去され、除去されたトナーはプリンタ本体内に置かれた廃トナー収容器へと搬送され、回収される。
【００３５】
その後、用紙Ｐは定着装置２０へと搬送され、定着装置２０によって用紙Ｐ上のトナー画像が当該用紙Ｐに定着される。そして、用紙Ｐは、排紙ローラ１３によって装置外へ排出され、排紙トレイ１４上にストックされる。
以上の説明は、用紙上にフルカラー画像を形成するときの画像形成動作であるが、４つの作像部４Ｙ、４Ｃ、４Ｍ、４Ｋのいずれか１つを使用して単色画像を形成したり、２つ又は３つの作像部を使用して、２色又は３色の画像を形成したりすることも可能である。
【００３６】
図２は、定着装置２０の一実施形態を示す概略的な断面構成図である。定着装置２０は、薄肉で可撓性を有する筒状の定着部材である無端状の定着ベルト２１と、この定着ベルト２１の外周側から当接する加圧部材である加圧ローラ２２とを有している。定着ベルト２１は、その内部（ループ内）に配された複数の定着熱源としてのハロゲンヒータ２３Ａ、２３Ｂ（以下、第１ハロゲンヒータ２３Ａ、第２ハロゲンヒータ２３Ｂともいう）の輻射熱によって加熱される。なお、ハロゲンヒータは、主たる熱源である定着熱源としての、輻射型熱源を代表するものである。
【００３７】
更に定着ベルト２１の内部には、定着ベルト２１を介して加圧ローラ２２とで定着ニップＮを形成するニップ形成部材２４と、ニップ形成部材２４を支持するステー部材２５（支持部材）とが配されている。定着ベルト２１の幅方向に渡って配されたニップ形成部材２４が、ステー部材２５によって固定支持されることで、加圧ローラ２２からの圧力によってニップ形成部材２４に撓みが生じることを防止し、加圧ローラ２２の軸方向（長手方向）に渡って均一なニップ幅が得られるようになっている。なお、ニップ形成部材２４は、機械的強度が高く耐熱温度２００℃以上の耐熱性部材、特に耐熱性樹脂、例えばポリイミド（ＰＩ）樹脂、ポリエーテルエーテルケトン（ＰＥＥＫ）樹脂、それらをガラス繊維で強化したもので構成されている。これにより、トナー定着温度域で、熱によるニップ形成部材２４の変形を防止し、安定した定着ニップの状態を確保し、出力画質の安定化を図っている。また、ステー部材２５やハロゲンヒータ２３Ａ、２３Ｂは、その長手方向両端を、定着装置２０の側板あるいは別途設けられたホルダに固定保持されている。ニップ形成部材２４の長手方向両端部には、主たる熱源（定着熱源）とは別の端部熱源としての端部ヒータ２６ａ、２６ｂが一体に取り付けられている。端部ヒータとしては、一般的に、セラミックセータのような抵抗発熱体である接触伝熱型熱源が用いられる。
【００３８】
定着ベルトの長手方向における熱移動を容易にする均熱部材とも称される熱移動補助部材２７が、ニップ形成部材２４と端部ヒータ２６それぞれの定着ベルト２１の内周面に対向する各面を覆うように配されており、小サイズ紙通紙時や端部ヒータ２６点灯時に定着ベルト２１の端部領域に熱が留まることを防止して、積極的に定着ベルト２１の幅方向、即ち、熱移動補助部材２７の長手方向に熱を移動させて、長手方向の温度不均一を解消させる。そのため、熱移動補助部材２７は短時間で熱移動が可能となる熱伝導率の高い材料、例えば銅（３９８Ｗ／ｍｋ）やアルミニウム（２３６Ｗ／ｍｋ）などで形成されている。図２の描写では、熱移動補助部材２７の定着ベルト２１の内周面に対向する面が定着ベルト２１に直接接触する面であり、ニップ形成面となっており、平坦状に形成されているが、凹形状やその他の形状であってもよい。凹形状のニップ形成面であると、用紙先端の排出方向が加圧ローラ寄りになり、分離性が向上してジャムの発生が抑制される。
【００３９】
周知のように、定着ベルト２１の外周側の適切な位置、例えば定着ニップのベルト回転方向上流側には、ベルト温度を検知する温度センサ２９が設けられており、定着装置２０の用紙搬送方向下流側には、定着ベルト２１から用紙Ｐを分離する分離部材４１が配されている。さらに、加圧ローラ２２を定着ベルト２１へ加圧する解除可能な加圧手段も設けられている。
【００４０】
低熱容量化を図るため、フィルムのように薄肉で小径化した無端状の定着ベルト２１は、ニッケルやＳＵＳなどの金属材料やポリイミドなどの樹脂材料で形成された内周側の基材と、ＰＦＡ（テトラフルオロエチレン・パーフルオロアルキルビニルエーテル共重合体）やＰＴＦＥ（ポリテトラフルオロエチレン）などで形成された外周側の離型層によって構成されている。基材と離型層の間に、シリコーンゴム、発泡性シリコーンゴム、あるいはフッ素ゴムなどのゴム材料で形成された弾性層を介在させてもよい。この弾性層の厚さを１００μｍ程度にすれば、未定着トナーを押し潰して定着させるときに弾性層の弾性変形により、ベルト表面の微小な凹凸を吸収でき、光沢ムラの発生を回避できる。低熱容量化の観点から、定着ベルト２１は、全体として厚さ１ｍｍ以下に、直径２０〜４０ｍｍに設定されている。そして、定着ベルト２１を構成する基材、弾性層、離型層のそれぞれの厚さは、２０〜５０μｍ、１００〜３００μｍ、１０〜５０μｍの範囲に設定されている。更に低熱容量化を図るためには、望ましくは、定着ベルト２１全体の厚さを０．２ｍｍ以下にするのがよく、更に望ましくは、０．１６ｍｍ以下の厚さとするのがよく、直径は３０ｍｍ以下とするのが望ましい。
【００４１】
断面Ｔ字状のステー部材２５は定着ニップＮ側と反対側が起立した起立部２５ａを有しており、主たる熱源としてのハロゲンヒータ２３Ａ、２３Ｂが起立部２５ａによって隔てられるように配置されている。ハロゲンヒータ２３Ａ、２３Ｂは、一方が小サイズ紙に対応した長手方向中央部に発熱部を有するものであり、他方が大サイズ紙に対応して長手方向両端部に発熱部を有するものである。ハロゲンヒータ２３Ａ、２３Ｂは、プリンタ本体に設けられた電源部により出力制御されて発熱するように構成されており、その出力制御は、定着ベルト２１の外周に設けられた温度センサ２９によるベルト表面の温度検知結果に基づいて行われる。このようなヒータの出力制御によって、定着ベルト２１の温度（定着温度）を所望の温度に設定できるようになっている。
【００４２】
また、ステー部材２５とハロゲンヒータ２３Ａ、２３Ｂの間には反射部材２８Ａ、２８Ｂが配されている。これにより、ハロゲンヒータ２３Ａ、２３Ｂの定着ベルト２１に対する加熱効率を上げると共に、ハロゲンヒータ２３Ａ、２３Ｂからの輻射熱によりステー部材２５が加熱されることによる無駄なエネルギー消費を抑制できる。反射部材２８Ａ、２８Ｂを備える代わりに、ステー部材２５表面に断熱若しくは鏡面処理を行っても同様の効果を得ることができる。
【００４３】
加圧ローラ２２は、芯金と、芯金の表面に設けられた発泡性シリコーンゴムやフッ素ゴムなどから成る弾性層と、弾性層の表面に設けられたＰＦＡやＰＴＦＥなどから成る離型層によって構成されている。バネなどの加圧手段により加圧ローラ２２が定着ベルト２１に押し付けられ定着ベルト２１と圧接する箇所では、加圧ローラ２２の弾性層が押し潰されることで、所定幅の定着ニップＮが形成される。加圧ローラ２２は、プリンタ本体に設けられたモータなどの駆動源によって回転駆動する。加圧ローラ２２が回転駆動すると、その駆動力が定着ニップＮで定着ベルト２１に伝達され、定着ベルト２１が従動回転する。定着ベルト２１は定着ニップＮで挟み込まれて回転し、定着ニップＮ以外では両端部に配された側板フランジにガイドされ、走行する。
【００４４】
本実施形態では、加圧ローラ２２を中実のローラとしているが、中空のローラであってもよい。その場合、加圧ローラ２２の内部にハロゲンヒータなどの熱源を配設してもよい。弾性層はソリッドゴムでもよいが、加圧ローラの内部に熱源が無い場合は、スポンジゴムを用いてもよい。スポンジゴムの方が、断熱性が高まり定着ベルト２１の熱が奪われにくくなるのでより望ましい。
【００４５】
図３は、ニップ形成ユニットの基本構成を示す斜視図である。図３に示すように、ニップ形成ユニットは、ニップ形成部材２４、ステー部材２５、熱移動補助部材２７、端部ヒータ２６ａ、２６ｂによって構成される。ニップ形成ユニットでは、ニップ形成部材２４の、定着ニップＮ側と反対側の面が、ステー部材２５の定着ニップＮ側の平面と一体化される。この際、それぞれの面にボスとピンのような凹凸形状を形成させて、これらを形状拘束的に嵌め合わせるようにしてもよい。熱移動補助部材２７は略直方体状のニップ形成部材２４の、定着ベルト２１の内周面に対向する面を覆うように嵌め合わされて一体化される。熱移動補助部材２７とニップ形成部材２４の一体構成は爪などを設けて噛み合わせればよいが、接着などを用いてもよい。ニップ形成部材２４の長手方向の両端部には、段差部としての凹部２４ａ、２４ｂが形成され、これらの箇所には端部ヒータ２６ａ、２６ｂが収容され、固定されている。これら端部ヒータ２６ａ、２６ｂとハロゲンヒータ２３Ａ、２３Ｂの位置関係については、後述する。
【００４６】
熱移動補助部材２７の定着ベルト２１の内周面に対向する面はベルト摺接面２７ａとして構成されるが、機械的強度上、実質的にニップ形成面となるのはニップ形成部材２４の加圧ローラ２２に対向する面２４ｃである。
【００４７】
このように、本実施形態では、端部ヒータ２６ａ、２６ｂを、定着ニップを形成するために必要なニップ形成部材２４に一体に設ける構成としたので、端部ヒータ２６ａ、２６ｂを定着ベルト２１の内側に省スペースで配置できる。
【００４８】
また、端部ヒータ２６ａ、２６ｂの定着ベルト２１の内面に対向する面と、ニップ形成部材２４の定着ベルト２１に対向する面とは同一高さ（同一平面上）に位置するので、加圧ローラによる十分な加圧力が熱移動補助部材２７を介して与えられる。
【００４９】
これにより、定着ベルト２１は、端部ヒータ２６ａ、２６ｂと間接的に密着した状態であるので、安定したベルト走行ができる。また、定着ベルト２１と端部ヒータ２６ａ、２６ｂは、十分な接触圧で接しており、良好な加熱が維持される。これらの構成より、定着装置２０の信頼性が向上する。
【００５０】
さらに、端部ヒータ２６ａ、２６ｂによる定着ベルト２１の加熱部位は、ニップ領域内ある。そのため、特許文献１のように定着ニップＮとは異なる部位で加熱することによる未定着残留トナーの再溶融の問題（品質低下）を生じない。
【００５１】
図４は、ニップ形成ユニット及びハロゲンヒータの構成を示す斜視図である。図４に示すように、ステー部材２５は、断面が略Ｌ型の、第１部材２５Ａと第２部材２５Ｂとからなり、断面が略Ｔ型に構成されている。そのため、剛性が高く、ニップ形成部材２４が加圧ローラ２２からの応力によって撓むことを防止できる。また、ステー部材２５（第１部材２５Ａ及び第２部材２５Ｂ）は、ニップ形成部材２４の長手方向に直線的に延在し、ニップ形成部材２４に固定されている。したがって、定着ニップＮの長手方向全域に亘り、良好なニップ形成面を保つことができる。
【００５２】
起立部２５ａの短手方向両側には、それぞれ第１ハロゲンヒータ２３Ａ、第２ハロゲンヒータ２３Ｂが配置されている。すなわち、第１、第２ハロゲンヒータ２３Ａ、２３Ｂは、起立部２５ａにより相互に遮られている。そのため、図１１に示した定着装置のようにヒータ点灯時に互いのガラス管を加熱しないので、加熱効率が下がらない。また、第１、第２ハロゲンヒータ２３Ａ、２３Ｂは、ステー部材２５に囲まれていない（各ハロゲンヒータ２３の中心はステー部材２５が囲む空間の外側にある）ため、照射角α、β（図２参照）が鈍角となり、加熱効率を向上できる。
【００５３】
なお、ステー部材２５の断面形状は、略Ｔ型に限定されない。第１、第２ハロゲンヒータ２３Ａ、２３Ｂを、起立部２５ａを挟み相互に仕切るような配置であればよく、第１部材２５Ａ及び第２部材２５Ｂをハロゲンヒータの長手方向に曲線的に延在してもよい。また、第１部材２５Ａ及び第２部材２５Ｂをニップ形成部材２４のニップ形成面に対し、斜め方向に起立させてもよい。
【００５４】
続いて、Ａ３ノビなどの特殊サイズの記録材に対応できる熱源の配置構成について説明する。図５は、ハロゲンヒータ及び端部ヒータの発熱部の配置を示す模式図である。図５に示すように、長手方向における中央部の配光分布が密である第１ハロゲンヒータ２３Ａと、長手方向における両端部の配光分布が密である第２ハロゲンヒータ２３Ｂが、配置されている。すなわち、第１ハロゲンヒータ２３Ａは、定着ベルト２１の中央範囲を加熱し、第２ハロゲンヒータ２３Ｂは、定着ベルト２１の側部範囲を加熱する。
【００５５】
第１ハロゲンヒータ２３Ａの発熱部４０Ａは、例えばＡ４タテサイズなどの小サイズの記録材に対応し、第２ハロゲンヒータ２３Ｂの発熱部４０Ｂは、第１ハロゲンヒータ２３ＡでカバーできないＡ３タテサイズなどの使用可能な最大定形サイズの記録材の端部範囲をカバーする。すなわち、両ハロゲンヒータの発熱部４０Ａ、４０Ｂからなる発熱部４０は、最大定形サイズの紙幅に対応し、最大定形サイズより大きいノビサイズの紙幅をカバーしていない。
【００５６】
一方、端部ヒータ２６ａ、２６ｂは、第２ハロゲンヒータ２３Ｂの長手方向両端部に対応する位置にあり、最大定形サイズより大きいノビサイズ紙幅の両端部を加熱する発熱部４２ａ、４２ｂを有する。また、端部ヒータ２６ａ、２６ｂの発熱部４２ａ、４２ｂの一部は、ハロゲンヒータ２３Ｂの発熱部４０Ｂと重なる。これにより、定着装置２０は、最大定形サイズより大きいノビサイズ紙幅の両端にも対応できる。
【００５７】
ここで、ハロゲンヒータ及び端部ヒータの実際に出力する熱量（加熱出力）について説明する。図６は、第２ハロゲンヒータ２３Ｂ及び端部ヒータ２６ｂの各発熱部の位置関係と各ヒータの加熱出力の様子を示す模式図である。図６の上部は、第２ハロゲンヒータ２３Ｂの発熱部の右側端部の状態を、図６の下部は、端部ヒータ２６ｂの発熱部の左側の状態を示している。
【００５８】
一般に、ハロゲンヒータは、発熱部（フィラメントを螺旋状に巻いた部分）の長手方向端部において加熱出力が低下する。これは、フィラメントの巻き密度によっても変わり、巻く密度が疎であるとより低下しやすい。図６の上部に示すように、第２ハロゲンヒータ２３Ｂの発熱部４０Ｂは、所定の加熱出力を１００（％）出力する部分から、熱量のダレが生じて加熱出力が５０％になる部分までと例えば定義できる。
【００５９】
また、端部ヒータ２６ｂも、図６の下部に示すように、発熱部４２ｂ（発熱パターン３７が設けられた部分）の長手方向端部において加熱出力が低下する。すわなち、端部において所定の加熱出力に対して１００％の出力がされず、加熱出力のダレが生じる。
【００６０】
このため、第２ハロゲンヒータ２３Ｂ及び端部ヒータ２６ｂの端部で加熱出力の落ち込み（ダレ）が生じると、特に最大定形サイズよりも大きいノビサイズの記録材の端部で、良好な定着が行われないおそれがある。
【００６１】
そこで本実施形態では、図６に示すように、第２ハロゲンヒータ２３Ｂの発熱部４０Ｂにおける加熱出力が低減し始める境界Ｂｈと、端部ヒータ２６ｂの発熱部４２ｂにおける加熱出力が低減し始める境界Ｂｃとを合致する。実際の装置では、ハロゲンヒータ２３Ｂと端部ヒータ２６ｂは、空間上離れて配置されているので、投影する状態で、長手方向において互いの境界Ｂｈ、Ｂｃが合致することである。なお、もう一方の端部ヒータ２６ａも同様である。
【００６２】
これにより、ハロゲンヒータ２３Ｂと両端部ヒータ２６ａ、２６ｂの重なる領域において、加熱出力が低下せず、所定の加熱出力の１００％を維持できる。したがって、特に最大定形サイズよりも大きいノビサイズの記録材の両端部においても、良好な定着が保証できる。
【００６３】
このように本実施形態では、第２ハロゲンヒータ２３Ｂの境界Ｂｈと、端部ヒータ２６ｂの境界Ｂｃが合致することとしている。しかし、上述したように、ニップ形成ユニットは熱伝導率のよい熱移動補助部材２７を有するので、ある程度の加熱出力の落ち込みを均すことができる。そのため、両端部ヒータ２６ａ、２６ｂの加熱出力が低減し始める境界の配置に所定の許容範囲を設けてもよい。
【００６４】
次に、端部ヒータの中央寄り発熱部端部（加熱出力が低減し始める境界Ｂｃ）をどのように設定するかについて、発熱出力のグラフを用いて、３つのパターンで説明する。境界Ｂｃを設定する位置は所定の許容範囲を有している。
【００６５】
（第１パターン）
図７は、第２ハロゲンヒータの加熱出力を示すグラフである。グラフの描写は、説明の都合上、一方の端における出力を示している。図７において、縦軸は所定の加熱出力に対する出力割合（％）であり、横軸はハロゲンヒータ２３の長手方向の位置である。加熱出力のグラフは長手方向に凸状のピークを有する曲線を描いている。
【００６６】
図７に示す加熱出力の場合、端部ヒータ２６の境界Ｂｃ（発熱部４２ｂにおける長手方向中央寄りの加熱出力が低減し始める境界）は、第２ハロゲンヒータにおいて加熱出力が長手方向端部寄りに位置する、ピークの加熱出力の４０％になる箇所から、長手方向中央寄りに位置する、ピークの加熱出力の８０％になる箇所までの範囲（図中Ａで示す範囲）に設定される。端部ヒータ２６の境界Ｂｃをこのような範囲に設定すれば、端部ヒータ２６と第２ハロゲンヒータ２３Ｂの端部における加熱出力を許容範囲内にできる。
【００６７】
（第２パターン）
図８は、中央範囲に発熱部を有するハロゲンヒータと、側部範囲に発熱部を有するハロゲンヒータのそれぞれの加熱出力の状態を示すグラフである。第１ハロゲンヒータ２３Ａに該当する中央範囲に発熱部を有するハロゲンヒータの加熱出力を破線のグラフで示し、第２ハロゲンヒータ２３Ｂに該当する側部範囲に発熱部を有するハロゲンヒータの加熱出力を実線で示す。長手方向に異なる配光分布を有し、したがってそれぞれ異なる加熱出力パターンを有する複数のハロゲンヒータによって、トータル的な加熱出力のパターンも異なる状態となり得る。
【００６８】
図９は、第１、第２ハロゲンヒータの加熱出力を示すグラフである。図９に示すように、加熱出力のグラフは、両端部近傍において出力割合が１００％まで立ち上がり、長手方向中央領域においてもほぼ１００％でなだらかとなっている。
【００６９】
ここで、加熱出力がほぼ１００％の範囲を長さ（Ｂ）とし、出力割合がほぼ１００％から４０％になる範囲を長さ（Ｃ）する。このとき、端部ヒータ２６の境界Ｂｃは、出力割合が加熱出力の４０％になる箇所から、長手方向中央に向けて（Ｃ＋Ｂ×１／１０）を満たす長さＤまでの範囲に配置される。端部ヒータ２６の境界Ｂｃをこのような範囲に配置すれば、端部ヒータ２６と第２ハロゲンヒータ２３Ｂの端部における加熱出力を許容範囲内にできる。
【００７０】
（第３パターン）
図１０は、第１、第２ハロゲンヒータの加熱出力の別例を示すグラフである。図１０に示すように、グラフの中央領域はなだらかであるが、その両端部では、中央領域と比較して高くなっている。第２ハロゲンヒータ２３Ｂの発熱部のフィラメントが、第１ハロゲンヒータ２３Ａの発熱部のフィラメントよりも密に巻かれていると、このような形となる。
【００７１】
ここで、加熱出力がほぼ１００％である両端で挟まれる範囲を長さ（Ｂ’）とし、出力割合がほぼ１００％から４０％になる範囲を長さ（Ｃ）する。このとき、端部ヒータ２６の境界Ｂｃは、出力割合が加熱出力の４０％になる箇所から、長手方向中央に向けて（Ｃ＋Ｂ’×１／１０）を満たす長さＤ’までの範囲内に配置される。端部ヒータ２６の境界Ｂｃをこのような範囲に配置すれば、端部ヒータ２６と第２ハロゲンヒータ２３Ｂの端部における加熱出力を許容範囲内にできる。
【００７２】
続いて、本発明の定着装置において、有利な構成について説明する。
熱移動補助部材２７は定着ベルト２１の内面と摺接しているため、銅やアルミニウムなどの金属材料をそのまま用いると摩擦係数が大きくなる。摩擦係数が大きいと、ユニットトルクが大きくなり、装置の寿命が短くなるなどの問題を生じる。
【００７３】
そのため、熱移動補助部材２７の定着ベルト２１との対向する（接する）ベルト摺接面２７ａ（図３参照）は平滑であり、更に低摩擦処理が施されていることが望ましい。具体的には、ＰＦＡやＰＴＦＥのようなフッ素系の塗装やコーティングを施すことにより、熱移動補助部材２７と定着ベルト２１内面の間の摩擦を低減する。また、熱移動補助部材２７と定着ベルト２１内面の間にフッ素グリースやシリコーンオイルなどの潤滑剤を塗布することも望ましく、摩擦を更に低減できる。
【００７４】
次に端部ヒータ２６によって加熱された定着ベルト２１の温度を検知する、図２で示した温度センサ２９とは別の温度検知部について説明する。定着ベルト２１の温度検知に接触方式のセンサ（例えば、サーミスタなど）を用いることは、安価で高精度という利点がある。しかし、接触位置に微細な摺接跡が発生したり、対応する位置の画像に微小な光沢ムラなどが発生したりするおそれがある。そのため、特にカラー画像出力機においては、定型サイズの紙幅内には接触式センサを用いないことが主流になっている。
【００７５】
ところで、ノビサイズの記録材において、ノビ部は、最大定形サイズの紙端部直前まで作像する場合の耳部や、印刷位置合わせに使われるトンボと呼ばれる線画像、又は色確認のための小面積のベタパッチが作像される部分として使われる。そして、最終的には切断されることが多い。したがって、接触式の温度検知部によって接触跡が発生したとしても、微小な光沢ムラなどは異常画像として顕在化しないといえる。
【００７６】
そこで、本実施形態では、図１１に示すように、定着ベルト２１の端部ヒータ２６ａ、２６ｂにより加熱された箇所の温度を検知する温度検知部４５ａ、４５ｂ（４５ａは反対側端部に設けられるので、描写を省略する）を、定着ベルト２１の外側であって、かつ、定着ベルト２１の長手方向において、最大定形サイズの紙幅より外側で、最大定形サイズよりも大きいノビサイズの紙幅より内側に設ける。これにより、微小な光沢ムラなどの異常画像を顕在化することなく、安価で精度良く温度検知できる。もちろん、ノビ部の画像範囲においても微小な光沢ムラなどの異常画像が発生しないようにするには、非接触型の温度検知部を用いればよい。
【００７７】
定着ベルト２１の端部ヒータ２６ａ、２６ｂにより加熱された箇所の温度を検知する構成について説明したが、端部ヒータ自体の一部の温度を検知するセンサを設け、その検知結果に基づき端部ヒータを制御する方法も適用可能である。
【００７８】
次に、冷間状態であっても作動時負荷を上げず迅速に定着できる構成について説明する。
上述したように、熱移動補助部材２７は定着ベルト２１の内面と摺接している。熱移動補助部材２７と定着ベルト２１の内面の間にフッ素グリースやシリコーンオイルなどの潤滑剤を塗布することで、摩擦係数を低減できる。
【００７９】
ここで熱移動補助部材２７は、摺動面において、潤滑剤を積極的に吸収しない。そのため、潤滑剤としては保持性の良いフッ素グリースなどを用いた方が、ユニットトルクの経時的な上昇を抑える効果がある。
【００８０】
しかし、潤滑剤として特にフッ素グリースは、温度に対して粘度が変化する性質を有している。特に冷間時のような場合に定着装置２０を起動すると、ユニットトルクが大きくなり、定着装置２０や画像形成装置１の負荷が大きくなる。
【００８１】
この問題に対処するため、本実施形態では、動作開始時には端部ヒータ２６ａ、２６ｂの発熱、定着ベルト２１の回転、ハロゲンヒータ２３の発熱の順に動作する定着装置を提案する。
【００８２】
すなわち、定着装置２０の動作を開始する際には、まず端部ヒータ２６ａ、２６ｂへの通電を開始する。次いで、温度検知部４５ａ、４５ｂの検知温度が共に所定の温度Ｔ１（℃）（定着装置２０の起動トルクが所定の大きさとなる第１の温度；定着ベルト２１を回転開始してもよい温度）以上になった時点で、定着ベルト２１の回転を開始する。あるいは、画像形成装置１の内部に設けられた温度計で判断（推定）した時点で、定着ベルト２１の回転を開始する。そして、定着ベルト２１が回転を開始した後に、ハロゲンヒータ２３への通電を行う。これら一連の動作は、以下の理由による。
【００８３】
定着ベルト２１のハロゲンヒータ２３との対向面は、ヒータによって直接的に加熱されるため温度が高くなる。一方、定着ベルト２１のハロゲンヒータ２３と対向していない面は、ヒータによって直接的に加熱されないため温度が低くなる。これにより、定着ベルト２１の周方向や長手方向に温度差が発生することがある。
【００８４】
このような温度差は定着ベルト２１の周方向の「温度斑」となり、定着ベルト２１を暫く空回転させても完全に消失しないことが多い。特に、冷間状態の装置を立ち上げる場合などには、定着ベルト２１から熱容量の大きい加圧ローラに向けて多くの熱が移動するため、定着ベルト２１を長時間空回転させても温度斑が消失しにくくなる。
【００８５】
そして、温度差の大きな温度斑が生じてしまうと、定着ベルト２１の局所的な熱膨張量の差によって定着ベルト２１の表面に歪みが発生するおそれがある。このように定着ベルト２１の表面に歪みが発生してしまうと、良好な定着ニップ部が形成されず、品質の劣化した画像が形成されてしまう。
【００８６】
さらに、その歪みが定着ベルト２１の降伏応力を超えると、定着ベルト２１に座屈破壊（キンク）が生じる場合がある。定着ベルト２１がキンクを発生すると、異常画像に発展し、さらには定着ベルト２１の破壊にも繋がる。このような問題は、本定着装置のように立ち上がり特性（昇温特性）を改善した定着装置において、顕著である。
【００８７】
したがって、温度斑や座屈破壊（キンク）を防止するためには、ハロゲンヒータ２３への通電を定着ベルト２１の回転開始後に行うことが必要である。
【００８８】
以上のように、端部ヒータ２６ａ、２６ｂへの通電、定着ベルト２１の回転、ハロゲンヒータ２３への通電の順に動作を開始することにより、定着装置２０や画像形成装置１への負荷が小さくでき、耐久性の向上（長寿命化）ができる。
【００８９】
続いて、実施形態に係る定着装置の動作について、フローチャートを用いて説明する。
図１２は、実施形態に係る定着装置の動作を示すフローチャートである。ここで、温度Ｔ２（℃）は定着装置２０の起動トルクが十分に小さくなる第２の温度（Ｔ２＞Ｔ１）（定着装置２０を即時開始してもよい温度）である。
【００９０】
まず、ステップＳ１において、定着装置２０は、温度検知部４５ａ、４５ｂの検知温度が、いずれも温度Ｔ２（℃）より高いか判定する。
【００９１】
温度検知部４５ａ、４５ｂの検知温度が、いずれも温度Ｔ２（℃）より高ければ（ＹＥＳの場合）、定着装置２０の起動トルクは十分に小さい。ステップＳ２に移行し、定着装置２０は定着ベルト２１の回転を開始する。この場合、端部ヒータ２６ａ、２６ｂに通電しなくてもよい。
【００９２】
一方、ステップＳ１で温度検知部４５ａ、４５ｂの検知温度の少なくともいずれかが温度Ｔ２（℃）以下ならば（ＮＯの場合）、ステップＳ４に移行する。
【００９３】
ステップＳ４において、定着装置２０は、温度検知部４５ａ、４５ｂの検知温度が、いずれも所定の温度Ｔ１（℃）よりも高く、かつ、所定の温度Ｔ２（℃）以下であるか判定する。
【００９４】
すなわち、定着装置２０の動作開始時において、前回の作動内容や前回の作動からの放置時間などにより、温度検知部４５ａ、４５ｂの検知温度がそれぞれ異なる値（異なる経過）を示すことがある。温度検知部４５ａ、４５ｂの検知温度がいずれも所定の温度Ｔ１（℃）より高ければ、定着装置２０の起動トルクは所定の値以下となっている。ファーストプリントタイムを短縮するという観点から、端部ヒータ２６ａ、２６ｂへの通電と定着ベルト２１の回転を同時に開始することが望ましい。したがって、ステップＳ５へ移行し、端部ヒータ２６ａ、２６ｂへの通電と定着ベルト２１の回転を開始する。
【００９５】
一方、ステップＳ４において、温度検知部４５ａ、４５ｂの少なくともいずれかの検知温度が所定の温度Ｔ１（℃）よりも低い場合（ＮＯの場合）、ステップＳ６に移行し、端部ヒータ２６ａ、２６ｂへの通電を開始する。
【００９６】
次いで、ステップＳ６からステップＳ７に移行し、定着装置２０は、温度検知部４５ａ、４５ｂのそれぞれの検知温度が、所定の温度Ｔ１（℃）以上になるまで待機する（ＮＯの場合）。
【００９７】
ステップＳ７において、検知温度がそれぞれ所定の温度Ｔ１（℃）以上となった場合（ＹＥＳの場合）は、ステップＳ８に移行し、定着装置２０は定着ベルト２１の回転を開始する。
【００９８】
このように、温度検知部４５ａ、４５ｂのいずれかの検知温度が所定の温度Ｔ１（℃）よりも低い場合、端部ヒータ２６ａ、２６ｂでニップ形成ユニットを加熱し、それぞれの検知温度が所定の温度Ｔ１（℃）以上となった時点で定着ベルト２１を回転する。これにより、定着ベルト２１の両端において起動トルクの相違を小さくできる。
【００９９】
次いで、ステップＳ３に移行し、定着装置２０はハロゲンヒータ２３に通電する。次いでステップＳ９に移行し、定着装置２０の作像準備は完了する。そして画像形成装置全体による作像動作が開始される。
【０１００】
図１３は、定着装置における定着ニップ部付近の温度とユニットトルクの関係を示すグラフである。図１３において、縦軸はユニットトルク（Ｎｍ）であり、横軸は、定着ニップ部付近の温度（℃）である。○印のプロットは回転線速が１００（ｍｍ／ｓｅｃ）の場合のユニットトルクであり、×印のプロットは回転線速が３００（ｍｍ／ｓｅｃ）の場合のユニットトルクである。
【０１０１】
グラフから分かるように、定着ニップ部付近の温度が同じであっても、回転線速が低いほうが、ユニットトルクが低くなる。
【０１０２】
同じ温度であれば回転線速が低いほうが、起動トルクが小さくなり、有利である。ファーストプリントタイムの短縮には、早めに回転を開始するべきであり、複数の回転線速を有する定着装置においては、少なくともハロゲンヒータ２３が点灯するまでは低い回転速度を選択することが望ましい。
【０１０３】
この場合、低い回転線速を高い回転線速に切り替えるタイミングはハロゲンヒータ２３を点灯するタイミングに同期させてよい。あるいは、定着ベルト２１の長手方向と周方向の温度が上述した温度斑や座屈破壊（キンク）が発生しない温度偏差内に収まるのであれば、必ずしもハロゲンヒータ２３を点灯するタイミングと同期しなくてもよい。したがって、タイミングは、定着ベルト２１の昇温に有利な条件を選択すればよい。
【０１０４】
以上説明したように、本実施形態の定着装置は、端部ヒータ２６ａ、２６ｂの発熱、定着ベルト２１の回転、ハロゲンヒータ２３の発熱の順に動作するので、定着ベルト２１への温度斑や座屈破壊を回避できると共に、起動時トルクを低減できる。
【０１０５】
また本実施形態の定着装置は、温度検知部４５ａ、４５ｂの検知温度が、それぞれ所定の温度（Ｔ１）の温度を検知した時点で定着ベルト２１の回転を開始する。そのため、起動時トルクが低減する温度Ｔ１になった時点をトリガーとして、定着ベルト２１の回転を開始できる。
【０１０６】
さらにまた本実施形態の定着装置は、複数の回転線速を有し、少なくともハロゲンヒータ２３の発熱までは低い回転線速で動作するので、起動トルクの低減とファーストプリントタイムの短縮を両立できる。
【０１０７】
（変形例）
変形例として、温度検知部４５ａ、４５ｂの代わりに、定着ベルト２１の外周側に設けられた温度センサ２９で、定着ベルト２１の温度を検知してもよい。または、画像形成装置１の内部に設けられた温度センサで、定着ベルト２１の温度を推定してもよい。これらの場合も、図１２のフローチャートを適宜読み替えて適用できる。
【０１０８】
以上、本発明を実施形態に基づいて説明した。本発明は実施形態に限定されるものではなく、本発明の範囲内で適宜変更可能である。また、本発明の定着装置を備える画像形成装置としては複写機あるいはプリンタに限らず、ファクシミリや複数の機能を備える複合機であってもよい。
【符号の説明】
【０１０９】
１  画像形成装置
２  ボトル収容部
２Ｃ、２Ｋ、２Ｍ、２Ｙ  トナーボトル
３  転写装置
４Ｃ、４Ｋ、４Ｍ、４Ｙ  作像部
５  感光体
６  帯電装置
７  現像装置
８  クリーニング装置
９  露光装置
１０  給紙トレイ
１１  給紙ローラ
１２  レジストローラ
１３  排紙ローラ
１４  排紙トレイ
２０  定着装置
２１、６０  定着ベルト
２２  加圧ローラ
２３Ａ、２３Ｂ、５０Ａ、５０Ｂ  ハロゲンヒータ
２４  ニップ形成部材
２４ａ、２４ｂ  凹部
２４ｃ  面
２５  ステー部材
２５Ａ  第１部材
２５Ｂ  第２部材
２５ａ  起立部
２６ａ、２６ｂ  端部ヒータ
２７  熱移動補助部材
２７ａ  ニップ形成面
２８Ａ、２８Ｂ、７０  反射部材
２９  温度センサ
３０  中間転写ベルト
３１  一次転写ローラ
３２  二次転写バックアップローラ
３３  クリーニングバックアップローラ
３４  テンションローラ
３５  ベルトクリーニング装置
３６  二次転写ローラ
３７  発熱パターン
４１  分離部材
４０Ａ、４０Ｂ、４２ａ、４２ｂ  発熱部
４５ａ、４５ｂ  温度検知部
Ｂｃ、Ｂｈ  境界
Ｎ  定着ニップ
Ｐ  用紙
α  β  照射角
【先行技術文献】
【特許文献】
【０１１０】
【特許文献１】特開２０１０−３２６３１号公報
【特許文献２】特開２０１４−１７８３７０号公報
【図１】
2017120392.tif 000003
【図２】
2017120392.tif 000004
【図３】
2017120392.tif 000005
【図４】
2017120392.tif 000006
【図５】
2017120392.tif 000007
【図６】
2017120392.tif 000008
【図７】
2017120392.tif 000009
【図８】
2017120392.tif 000010
【図９】
2017120392.tif 000011
【図１０】
2017120392.tif 000012
【図１１】
2017120392.tif 000013
【図１２】
2017120392.tif 000014
【図１３】
2017120392.tif 000015